(57)【要約】【課題】電子部品の硫化を抑制可能な電子機器の車載構造を提供する。【解決手段】電子機器の車載構造５は、車両内においてスペアタイヤ２０を収容するための収容空間Ｓを有する収容室１０と、収容室１０内に配置されたスペアタイヤ２０と、収容室１０内に配置された電子機器３０と、電子機器３０を収容するケース４０と、ケース４０内と収容室１０外とを連通する連通流路８０とを備える。【選択図】図３
2020011661.tif 000002
【特許請求の範囲】
【請求項１】
車両内においてスペアタイヤを収容する収容空間を有する収容室と、
前記収容室内に配置された前記スペアタイヤと、
前記収容室内に配置された電子機器と、
前記電子機器を収容するケースと、
前記ケース内と前記収容室外とを連通する連通流路とを備える、電子機器の車載構造。
【発明の詳細な説明】
【技術分野】
【０００１】
本開示は、電子機器の車載構造に関する。
【背景技術】
【０００２】
たとえば、特開２０１７−１４４８１９号公報（以下、「特許文献１」という。）には、車両後方の荷室の下方の空間に配置されたスペアタイヤと、スペアタイヤの下方の空間に配置された充電器（車載機器）と、充電器を収容するケースとを備え、低コストで充電器を保護する車載構造が開示されている。
【先行技術文献】
【特許文献】
【０００３】
【特許文献１】特開２０１７−１４４８１９号公報
【発明の概要】
【発明が解決しようとする課題】
【０００４】
特許文献１に記載されるように、スペアタイヤを収容する空間に、充電器などの電子機器を配置する電子機器の車載構造が知られている。このような電子機器の車載構造では、スペアタイヤが収容されている空間に電子機器が配置されているため、タイヤを構成するゴムから生じる硫黄成分が空間内に充満した場合、電子機器内の電子部品が硫黄によって硫化し、劣化する懸念がある。
【０００５】
本開示の目的は、電子部品の硫化を抑制可能な電子機器の車載構造を提供することである。
【課題を解決するための手段】
【０００６】
本開示に従った電子部品の車載構造は、車両内においてスペアタイヤを収容する収容空間を有する収容室と、収容室内に配置されたスペアタイヤと、収容室内に配置された電子機器と、電子機器を収容するケースと、ケース内と収容室外とを連通する連通流路とを備える。
【０００７】
本電子機器の車載構造では、電子機器を収容するケース内と収容室外とが連通流路で連通しているため、収容空間にスペアタイヤを構成するゴムから生じる硫黄成分が充満したとしても、その硫黄成分が電子機器の電子部品に接触することを抑制できる。よって、本電子機器の車載構造では、電子機器の電子部品の硫化が抑制される。
【発明の効果】
【０００８】
以上に説明したように、本開示によれば、電子部品の硫化を抑制可能な電子機器の車載構造を提供することができる。
【図面の簡単な説明】
【０００９】
【図１】本開示の第１実施形態の電子機器の車載構造およびその周辺の構成を概略的に示す図である。
【図２】図１に示される電子機器の車載構造の分解斜視図である。
【図３】図１に示される電子機器の車載構造を概略的に示す断面図である。
【図４】本開示の第２実施形態の電子機器の車載構造を概略的に示す断面図である。
【発明を実施するための形態】
【００１０】
本開示の実施形態について、図面を参照して説明する。なお、以下で参照する図面では、同一またはそれに相当する部材には、同じ番号が付されている。
【００１１】
（第１実施形態）
図１は、本開示の第１実施形態の電子機器の車載構造およびその周辺の構成を概略的に示す図である。図１に示されるように、電子機器の車載構造５は、車両１の後部に設けられている。具体的に、電子機器の車載構造５は、車両１のうち、リアシート２の後方に設けられた荷室４の下方に設けられている。ただし、電子機器の車載構造５の配置は、荷室４の下方に限られず、また、車両１の後部に限られない。リアシート２と荷室４との間には、バッテリ３が配置されている。
【００１２】
図２は、図１に示される電子機器の車載構造の分解斜視図である。図３は、図１に示される電子機器の車載構造を概略的に示す断面図である。図２および図３に示されるように、電子機器の車載構造５は、収容室１０と、スペアタイヤ２０と、電子機器３０と、ケース４０と、保持部材５０と、ブラケット６０と、排気ダクト７０と、連通流路８０とを有している。なお、図１では、ブラケット６０、排気ダクト７０および連通流路８０は省略されている。図２では、連通流路８０は省略されている。図３では、排気ダクト７０は省略されている。
【００１３】
収容室１０は、荷室４の下方に設けられている。収容室１０は、収容空間Ｓを有している。収容室１０は、底壁１２と、上壁１４とを有している。
【００１４】
底壁１２は、下方に向かって凸となり、かつ、上向きに開口する形状を有している。
【００１５】
上壁１４は、底壁１２の開口を塞ぐ形状を有している。上壁１４は、荷室４の床板を構成している。底壁１２および上壁１４内に形成される空間が収容空間Ｓである。
【００１６】
スペアタイヤ２０は、収容空間Ｓ内に配置されている。スペアタイヤ２０は、当該スペアタイヤ２０の中心軸が略鉛直となる姿勢で収容空間１０Ｓ内に配置されている。
【００１７】
電子機器３０は、収容空間Ｓに配置されている。具体的に、電子機器３０は、収容空間Ｓにおけるスペアタイヤ２０の下方に配置されている。本実施形態では、電子機器３０として、電子部品を有する充電器が用いられている。
【００１８】
ケース４０は、収容空間Ｓにおいて電子機器３０を収容している。ケース４０は、固定部材４２により底壁１２に固定されている。より詳細には、底壁１２は、ケース４０の下方に配置された平板状の底板１３を有しており、ケース４０は、固定部材４２により底板１３に固定されている。ケース４０には、当該ケース４０を貫通する貫通孔４０ｈ（図３を参照）が設けられている。ケース４０内の温度の変動に伴って、ケース４０内とケース４０外との間で貫通孔４０ｈを通じて空気の出入りが生じる。
【００１９】
保持部材５０は、スペアタイヤ２０を保持している。保持部材５０は、ケース４０の上方においてスペアタイヤ２０を下方から保持している。保持部材５０は、発泡材料からなる。
【００２０】
ブラケット６０は、ケース４０に対してスペアタイヤ２０を固定するための部材である。ブラケット６０は、上向きに凸となる形状を有している。ブラケット６０の両端部は、固定部材６２によってケース４０の上面に固定されている。ブラケット６０の中央部は、固定部材６４によってスペアタイヤ２０の中央部に固定されている。
【００２１】
排気ダクト７０は、電子機器３０を冷却する冷却ファン（図示略）の排気を収容室１０外に導くものである。
【００２２】
連通流路８０は、ケース４０内と収容室１０外とを連通する流路（たとえばホース）である。連通流路８０の一端は、ケース４０の貫通孔４０ｈに接続される。連通流路８０の他端は、収容室１０外（荷室４内や、車室内や、車室外など）に配置される。本実施形態では、図３に示されるように、連通流路８０の他端は、上壁１４の上方（荷室４内）に配置されている。連通流路８０は、第１部位８１と、第２部位８２と、第３部位８３とを有している。第１部位８１は、ケース４０から側方に向かって延びる形状を有している。第２部位８２は、第１部位８１の外端部からスペアタイヤ２０の下方に向かって延びる形状を有している。第３部位８３は、第２部位８２の外端部（下端部）から、スペアタイヤ２０の外側を通るとともに底壁１２の内側面に沿って上方に向かって延びる形状を有している。第３部位８３の上端部は、上壁１４の上方に位置している。
【００２３】
以上に説明したように、本電子機器の車載構造５では、電子機器（充電器）３０を収容するケース４０内と収容室１０外とが連通流路８０で連通しているため、収容空間Ｓにスペアタイヤ２０のゴムから生じる硫黄成分が充満したとしても、その硫黄成分が電子機器３０の電子部品に接触することが抑制される。よって、この電子機器の車載構造５では、電子機器３０の電子部品の硫化が抑制される。
【００２４】
（第２実施形態）
次に、図４を参照しながら、本開示の第２実施形態の電子機器の車載構造５について説明する。図４は、本開示の第２実施形態の電子機器の車載構造を概略的に示す断面図である。なお、第２実施形態では、第１実施形態と異なる部分についてのみ説明を行い、第１実施形態と同じ構造、作用及び効果の説明は繰り返さない。
【００２５】
本実施形態では、連通流路８０の一端は、ケース４０の貫通孔４０ｈに接続されており、連通流路８０の他端は、底壁１２に接続されている。具体的に、底壁１２の底板１３には、穴１３ａが設けられている。連通流路８０の他端は、連通流路８０内と底板１３の下方の空間（収容室１０外）とが連通するように、底板１３のうち穴１３ａを取り囲む内周面に接続されている。
【００２６】
本実施形態においても、電子機器３０の電子部品の硫化が抑制される。
【００２７】
また、本実施形態では、連通流路８０は、ケース４０内とケース４０の下方に配置された底板１３とを接続しているため、連通流路８０を短くすることができる。
【００２８】
なお、今回開示された実施形態はすべての点で例示であって、制限的なものではないと考えられるべきである。本発明の範囲は、上記した実施形態の説明ではなく特許請求の範囲によって示され、さらに特許請求の範囲と均等の意味および範囲内でのすべての変更が含まれる。
【産業上の利用可能性】
【００２９】
本開示は、電子機器の車載構造に適用される。
【符号の説明】
【００３０】
１  車両、２  リアシート、３  バッテリ、４  荷室、５  電子機器の車載構造、１０  収容室、１２  底壁、１３  底板、１３ａ  穴、１４  上壁、２０  スペアタイヤ、３０  電子機器（充電器）、４０  ケース、４０ｈ  貫通孔、５０  保持部材、６０  ブラケット、７０  排気ダクト、８０  連通流路、８１  第１部位、８２  第２部位、８３  第３部位、Ｓ  収容空間。
【図１】
2020011661.tif 000003
【図２】
2020011661.tif 000004
【図３】
2020011661.tif 000005
【図４】
2020011661.tif 000006